(57)【要約】【課題】レバーが嵌合完了位置においてロックされることによって回動不能となるとともに、不必要にロックが解除されることがなく、衝撃、振動等の外力を受けても相手側コネクタとの嵌合が解除されることがなく、ロック部をロック位置及びロック解除位置からスライドさせる際にクリック感を感じることができるのでロック部の誤操作を防止することができ、操作性が高く、確実性が高くなるようにする。【解決手段】ロック部は、レバーの本体部にスライド可能に取付けられ、レバーをロックするロック位置とロックを解除するロック解除位置との間をスライドし、レバーは、ロック部をロック位置及びロック解除位置で係止するための位置決め用係止部を備え、位置決め用係止部は、係止凹部と、弾性的に変位して係止凹部と係合及び係合解除する係止凸部とを備える。  【選択図】図１
2009259442.tif 000002
【特許請求の範囲】
【請求項１】
（ａ）端子（６１）を収容するハウジング（１１、２１）と、
（ｂ）該ハウジング（１１、２１）に回転可能に取付けられ、相手側コネクタ（１０１）との嵌合の初期における第１位置と、相手側コネクタ（１０１）との嵌合が完了した第２位置との間を回転するレバー（８１）と、
（ｃ）該レバー（８１）を第２位置においてロックするロック部（９１）とを有するコネクタ（１）であって、
（ｄ）前記ロック部（９１）は、前記レバー（８１）の本体部（８２）にスライド可能に取付けられ、前記レバー（８１）をロックするロック位置とロックを解除するロック解除位置との間をスライドし、
（ｅ）前記レバー（８１）は、前記ロック部（９１）をロック位置及びロック解除位置で係止するための位置決め用係止部（８５ａ、９５ａ、９５ｂ）を備え、
（ｆ）該位置決め用係止部（８５ａ、９５ａ、９５ｂ）は、係止凹部（９５ａ、９５ｂ）と、弾性的に変位して前記係止凹部（９５ａ、９５ｂ）と係合及び係合解除する係止凸部（８５ａ）とを備えることを特徴とするコネクタ（１）。
【請求項２】
前記レバー（８１）は、第２位置において相手側コネクタ（１０１）との嵌合方向に対して直交する方向に延在する請求項１に記載のコネクタ（１）。
【請求項３】
前記係止凸部（８５ａ）は、基端が前記本体部（８２）に接続された弾性を備えるカンチレバー状の位置決め腕部（８５）の自由端に形成され、
前記係止凹部（９５ａ、９５ｂ）は、前記ロック部（９１）に形成され、前記係止凸部（８５ａ）と係合して前記ロック部（９１）をロック位置で係止する第１位置決め用係止凹部（９５ａ）、及び、前記係止凸部（８５ａ）と係合して前記ロック部（９１）をロック解除位置で係止する第２位置決め用係止凹部（９５ｂ）を含む請求項１に記載のコネクタ（１）。
【請求項４】
前記ロック部（９１）は、前記レバー（８１）の後端に位置し、前記レバー（８１）の回転軸（７５）から離間する方向に延出する操作部（９２）を備え、
該操作部（９２）から前記回転軸（７５）までの距離は、前記ロック部（９１）がロック解除位置にあるときはロック位置にあるときよりも長くなる請求項１〜３のいずれか１項に記載のコネクタ（１）。
【請求項５】
前記ロック部（９１）は、前記レバー（８１）の後端に位置し、前記レバー（８１）の回転軸（７５）に接近する方向に延出する係止部（９３）を備え、
該係止部（９３）から前記回転軸（７５）までの距離は、前記ロック部（９１）がロック位置にあるときはロック解除位置にあるときよりも短くなり、
前記レバー（８１）が第２位置において前記ロック部（９１）がロック位置になると、前記係止部（９３）は、ハウジング（１１、２１）の外周に形成されたレバー係止凹部（３３）に進入して係止される請求項１〜４のいずれか１項に記載のコネクタ（１）。
【発明の詳細な説明】
【技術分野】
【０００１】
本発明は、コネクタに関するものである。
【背景技術】
【０００２】
従来、各種機器の制御装置等の電子機器を収納する筐（きょう）体の側壁に配設された相手側コネクタと嵌（かん）合するコネクタにおいては、係合溝を備えた係合レバーを有し、相手側コネクタのハウジングに配設された係合突起に前記係合溝を係合させた状態で係合レバーを回転させることによって、嵌合力を増大させてコネクタ同士を確実に嵌合するようになっている（例えば、特許文献１参照。）。
【０００３】
図２８は従来のコネクタ及び相手方コネクタを示す斜視図である。
【０００４】
図において、８０１は、図示されない導電ケーブルの終端に接続される従来のコネクタとしてのソケット側コネクタであり、相手側コネクタとしてのプラグ側コネクタ９０１と嵌合する。該プラグ側コネクタ９０１は、プラグコンタクト９６１を収容するプラグボディ９１２と、該プラグボディ９１２が挿入される枠体９１１とを有する。そして、該枠体９１１の対向する２側面の内側には、２本ずつ、合計４本の係合突起９１８が内方へ突出するように接続されている。
【０００５】
また、前記ソケット側コネクタ８０１は、ソケットコンタクト８６１を収容するソケットボディ８１１と、該ソケットボディ８１１を覆うソケット側ケーシング８２１とを有する。そして、該ソケット側ケーシング８２１には、導電ケーブルが通過する開口部８２８ａ及び８２８ｂが形成されている。また、ソケット側ケーシング８２１の対向する側壁８２４には、プラグ側コネクタ９０１の係合突起９１８を収容するための係合溝８８３が２本ずつ、合計４本形成されている。さらに、コネクタを嵌合させるための係合レバー８８１の端部が、前記側壁８２４の２本の係合溝８８３の間に形成された摺（しゅう）動溝８１５内で摺動するように、係合して取付けられている。
【０００６】
ソケット側コネクタ８０１とプラグ側コネクタ９０１とを嵌合させた状態で係合レバー８８１を回動させて初期位置から嵌合完了位置にまで移動させると、前記係合レバー８８１の端部に接続された図示されない係合プレートの係合凹部が、係合溝８８３内に収容されたプラグ側コネクタ９０１の係合突起９１８と係合する。そして、該係合突起９１８が係合凹部の側壁に沿って相対的に移動し、係合凹部のカム溝としての機能によってプラグ側コネクタ９０１がソケット側コネクタ８０１に引寄せられて強固に嵌合する。また、係合突起９１８が係合溝８８３が抜出ることが防止され、その結果、ソケット側コネクタ８０１とプラグ側コネクタ９０１との嵌合が確実なものとなる。
【０００７】
なお、図２８に示される状態において、係合レバー８８１は、初期位置に位置し、側壁８２４に形成された初期位置用当接突部８３４ｂに当接している。また、係合レバー８８１は、嵌合完了位置に到達すると、側壁８２４に形成された嵌合完了位置用当接突部８３４ａに当接する。
【特許文献１】特開２００６−１１４３５７号公報
【発明の開示】
【発明が解決しようとする課題】
【０００８】
しかしながら、前記従来のコネクタにおいては、係合レバー８８１が嵌合完了位置でロックされていないので、衝撃、振動等の外力を受けたときに、係合レバー８８１が初期位置に復帰してしまい、その結果、プラグ側コネクタ９０１との嵌合が維持されなくなってしまうことがある。特に、コネクタを電車等の鉄道用車両やトラック、乗用車等の道路走行用車両に装着した場合には、コネクタが車両の走行に伴って発生する振動を絶え間なく受けることになるので、係合レバー８８１が初期位置に復帰する可能性が高い。
【０００９】
本発明は、前記従来のコネクタの問題点を解決して、回転して相手側コネクタの係合部材と係合するレバーに、該レバーの本体部に対してスライドするロック部を配設するとともに、該ロック部が本体部に対してロック位置及びロック解除位置で係止される係止部を形成するようにして、前記レバーが嵌合完了位置においてロックされることによって回動不能となるとともに、ロック部がロック位置からスライドしないので不必要にロックが解除されることがなく、その結果、衝撃、振動等の外力を受けても相手側コネクタとの嵌合が解除されることがなく、オペレータがロック部をロック位置及びロック解除位置からスライドさせる際にクリック感を感じることができるのでロック部の誤操作を防止することができ、操作性が高く、確実性の高いコネクタを提供することを目的とする。
【課題を解決するための手段】
【００１０】
そのために、本発明のコネクタにおいては、端子を収容するハウジングと、該ハウジングに回転可能に取付けられ、相手側コネクタとの嵌合の初期における第１位置と、相手側コネクタとの嵌合が完了した第２位置との間を回転するレバーと、該レバーを第２位置においてロックするロック部とを有するコネクタであって、前記ロック部は、前記レバーの本体部にスライド可能に取付けられ、前記レバーをロックするロック位置とロックを解除するロック解除位置との間をスライドし、前記レバーは、前記ロック部をロック位置及びロック解除位置で係止するための位置決め用係止部を備え、該位置決め用係止部は、係止凹部と、弾性的に変位して前記係止凹部と係合及び係合解除する係止凸部とを備える。
【００１１】
本発明の他のコネクタにおいては、さらに、前記レバーは、第２位置において相手側コネクタとの嵌合方向に対して直交する方向に延在する。
【００１２】
本発明の更に他のコネクタにおいては、さらに、前記係止凸部は、基端が前記本体部に接続された弾性を備えるカンチレバー状の位置決め腕部の自由端に形成され、前記係止凹部は、前記ロック部に形成され、前記係止凸部と係合して前記ロック部をロック位置で係止する第１位置決め用係止凹部、及び、前記係止凸部と係合して前記ロック部をロック解除位置で係止する第２位置決め用係止凹部を含む。
【００１３】
本発明の更に他のコネクタにおいては、さらに、前記ロック部は、前記レバーの後端に位置し、前記レバーの回転軸から離間する方向に延出する操作部を備え、該操作部から前記回転軸までの距離は、前記ロック部がロック解除位置にあるときはロック位置にあるときよりも長くなる。
【００１４】
本発明の更に他のコネクタにおいては、さらに、前記ロック部は、前記レバーの後端に位置し、前記レバーの回転軸に接近する方向に延出する係止部を備え、該係止部から前記回転軸までの距離は、前記ロック部がロック位置にあるときはロック解除位置にあるときよりも短くなり、前記レバーが第２位置において前記ロック部がロック位置になると、前記係止部は、ハウジングの外周に形成されたレバー係止凹部に進入して係止される。
【発明の効果】
【００１５】
本発明によれば、コネクタは、回転して相手側コネクタの係合部材と係合するレバーを有し、該レバーの本体部に対してスライドするロック部が配設されるとともに、該ロック部が本体部に対してロック位置及びロック解除位置で係止される係止部が形成されている。これにより、前記レバーが嵌合完了位置においてロックされることによって回動不能となるとともに、ロック部がロック位置からスライドしないので不必要にロックが解除されることがない。したがって、衝撃、振動等の外力を受けても相手側コネクタとの嵌合が解除されることがない。さらに、オペレータがロック部をロック位置及びロック解除位置からスライドさせる際にクリック感を感じることができるのでロック部の誤操作を防止することができ、操作性を高くし、確実性を高くすることができる。
【発明を実施するための最良の形態】
【００１６】
以下、本発明の実施の形態について図面を参照しながら詳細に説明する。
【００１７】
図１は本発明の実施の形態におけるケーブル側コネクタの斜視図であり基板側コネクタと嵌合した状態を示す図、図２は本発明の実施の形態におけるケーブル側コネクタの斜視図であり基板側コネクタと嵌合する前の状態を示す図、図３は本発明の実施の形態におけるケーブル側コネクタ及び基板側コネクタの分解図、図４は本発明の実施の形態におけるケーブル側コネクタの三面図、図５は本発明の実施の形態における基板側コネクタの三面図である。なお、図４において、（ａ）は正面図、（ｂ）は下面図、（ｃ）は（ａ）のＸ−Ｘ矢視断面図であり、図５において、（ａ）は下面図、（ｂ）は正面図、（ｃ）は（ｂ）のＹ−Ｙ矢視断面図である。
【００１８】
図において、１は本実施の形態におけるコネクタとしてのケーブル側コネクタであり、相手側コネクタとしての基板側コネクタ１０１と嵌合する。該基板側コネクタ１０１は、例えば、電気機器、電子機器等を収納する筐体の側壁であるパネル部材１４１に取付けられ、前記筐体の内側に配設された電気機器、電子機器等のプリント回路基板等の基板１９１に接続される。前記電気機器、電子機器等は、例えば、電車等の鉄道用車両、トラック、乗用車等の道路用車両等の制御装置等に使用されるものであるが、いかなる用途に使用されるものであってもよいし、いかなる種類のものであってもよい。なお、図において、前記パネル部材１４１及び基板１９１は、それらの一部のみが示されている。
【００１９】
また、本実施の形態において、ケーブル側コネクタ１及び基板側コネクタ１０１の各部の構成及び動作を説明するために使用される上、下、左、右、前、後等の方向を示す表現は、絶対的なものでなく相対的なものであり、前記ケーブル側コネクタ１及び基板側コネクタ１０１の各部が図に示される姿勢である場合に適切であるが、その姿勢が変化した場合には姿勢の変化に応じて変更して解釈されるべきものである。
【００２０】
前記基板側コネクタ１０１は、図３及び５に詳細に示されるように、合成樹脂等の絶縁性材料によって一体的に形成されたハウジングとしてのプラグハウジング１１１と、該プラグハウジング１１１に装填（てん）された相手側端子としてのプラグ端子１６１と、合成樹脂等の絶縁性材料又は金属等の剛性の高い材料によって一体的に形成され、前記プラグハウジング１１１の周囲を覆う保護部材である外側ハウジングとしてのエンクロージャ１２１とを有する。なお、該エンクロージャ１２１は、プラグハウジング１１１に結合され、基板側コネクタ１０１のハウジングの一部として機能する。
【００２１】
前記プラグハウジング１１１は、上端が開放された細長い直方体の箱状部材であり、長方形の厚板状の底板部１１２と、該底板部１１２の４辺に垂直に接続された４枚の板状部材から成る側壁部１１４と、前記長方形の底板部１１２における一対の短辺に対応する側壁部１１４の一対の板状部材の外側に延出するフランジ部１１５とを備える。なお、１１３は、前記底板部１１２と側壁部１１４とによって周囲を画定され、上面が開放された嵌合凹部であり、該嵌合凹部１１３内に、ケーブル側コネクタ１のレセプタクルハウジング１１が嵌入される。
【００２２】
そして、前記プラグ端子１６１は、金属等の導電性材料から成る棒状又はピン状の部材であり、複数本が格子状に配列されてプラグハウジング１１１に装填される。なお、前記プラグ端子１６１の本数及び配列態様は、図に示される例に限定されるものではなく、適宜設定することができる。そして、各プラグ端子１６１は、前記基板１９１に形成されたスルーホール１９２に挿入されて基板１９１に形成された図示されない導電トレースに接続されるテール部１６２と、プラグハウジング１１１の底板部１１２に保持される本体部１６３と、ケーブル側コネクタ１のレセプタクル端子６１と接触する接触部１６４とを備える。ここで、前記テール部１６２は、前記底板部１１２の下面から下方に延出する。また、前記本体部１６３は、前記底板部１１２に形成された図示されない貫通孔（こう）に圧入されて保持される。さらに、前記接触部１６４は、前記底板部１１２の上面から上方に延出し、前記嵌合凹部１１３内に配列される。
【００２３】
また、前記エンクロージャ１２１は、上下に貫通する断面が長方形のハウジング収容孔１２３を備える細長い直方体の筒状部材であり、前記ハウジング収容孔１２３の４面を画定する４枚の板状部材から成る外壁部１２４と、前記長方形のハウジング収容孔１２３の断面における一対の短辺に対応する外壁部１２４の一対の板状部材の外側に延出するフランジ部１２２と、前記一対の板状部材の内側に延出するフランジ支持部１２５とを備える。
【００２４】
さらに、前記長方形のハウジング収容孔１２３の断面における一対の長辺に対応する外壁部１２４の一対の板状部材には、係合部材としてのロックピン１８１が１つずつ取付けられている。該ロックピン１８１は、合成樹脂等の絶縁性材料又は金属等の剛性の高い材料によって形成されたリベット状の部材であり、その円柱状の胴部１８１ａの周囲には、合成樹脂等の絶縁性材料又は金属等の剛性の高い材料によって形成された円筒状のスリーブ１８２が回転可能に取付けられている。
【００２５】
そして、前記エンクロージャ１２１のハウジング収容孔１２３内にプラグハウジング１１１が収容される。この場合、図３に示されるように、エンクロージャ１２１の上方からプラグハウジング１１１がハウジング収容孔１２３内に挿入され、プラグハウジング１１１のフランジ部１１５がフランジ支持部１２５によって下方から支持される。そして、コネクタガイド部材としてのガイドピン７１及びガイドブッシュ７２によって前記フランジ部１１５とフランジ支持部１２５とが結合される。
【００２６】
前記ガイドピン７１及びガイドブッシュ７２は、合成樹脂等の絶縁性材料又は金属等の剛性の高い材料によって形成された部材であり、図３に示されるように、下方に突出する円柱状の挿入部７１ｂ及び７２ｂを各々備える。そして、前記挿入部７１ｂ及び７２ｂを、フランジ部１１５に形成された貫通孔１１５ａを通して、フランジ支持部１２５に形成された挿入孔１２５ａに挿入（この場合、「挿入」は「圧入」又は「螺（ら）入」であってもよい。）することによって、前記フランジ部１１５とフランジ支持部１２５とが結合される。なお、前記ガイドピン７１の上部は円柱状のガイド部７１ａとなっており、ガイドブッシュ７２の円筒状の上部に形成されたガイド孔７２ａ内に挿入可能となっている。これにより、図５に示されるように、プラグハウジング１１１の周囲がエンクロージャ１２１によって取囲まれた基板側コネクタ１０１を得ることができる。
【００２７】
そして、前記エンクロージャ１２１がパネル部材１４１に固定され、プラグ端子１６１のテール部１６２が基板１９１のスルーホール１９２に挿入される。この場合、プラグハウジング１１１においてエンクロージャ１２１の下端から下方に突出する部分は、パネル部材１４１に形成されコネクタ受容孔１４２内に挿入される。なお、前記テール部１６２は、はんだ、導電性接着剤等の導電性接合剤によってスルーホール１９２に接合されることが望ましい。また、エンクロージャ１２１は、フランジ部１２２をねじ部材であるスクリュー１７３によってパネル部材１４１に螺着することによって固定される。前記フランジ部１２２には、貫通孔１２２ａが形成され、パネル部材１４１にはねじ孔（あな）１４３が形成されている。そのため、前記貫通孔１２２ａを通してスクリュー１７３をねじ孔１４３に螺入することができる。なお、前記スクリュー１７３の頭部とフランジ部１２２との間には、ワッシャ１７４を介在させることが望ましい。
【００２８】
本実施の形態において、ケーブル側コネクタ１は、複数本の導電線６７から成る導電ケーブルの終端に接続されるコネクタであるが、導電ケーブルの図示は省略され、導電線６７も図４（ｃ）にその終端部分の一部が図に示されるのみであって、その他の部分の図示は省略されている。
【００２９】
前記ケーブル側コネクタ１は、図３及び４に詳細に示されるように、合成樹脂等の絶縁性材料によって一体的に形成されたハウジングとしてのレセプタクルハウジング１１と、該レセプタクルハウジング１１に装填された端子としてのレセプタクル端子６１と、合成樹脂等の絶縁性材料又は金属等の剛性の高い材料によって一体的に形成され、前記レセプタクルハウジング１１の上側を覆う保護部材である上側ハウジングとしてのフード２１とを有する。なお、該フード２１は、レセプタクルハウジング１１に結合され、ケーブル側コネクタ１のハウジングの一部として機能する。
【００３０】
前記レセプタクルハウジング１１は、細長い直方体の箱状部材であり、上下方向に延在する細長い複数の端子収容孔１３と、上下方向に延在する４つの側壁部１４と、箱状部材の断面の長方形における一対の短辺に対応する側壁部１４の一対の板状部材の外側に延出するフランジ部１５とを備える。
【００３１】
そして、前記レセプタクル端子６１は、金属等の導電性材料から成る細長い部材であり、各端子収容孔１３の内部に１本ずつ装填される。なお、前記レセプタクル端子６１の本数及び配列態様は、基板側コネクタ１０１のプラグ端子１６１の本数及び配列態様に対応するように設定される。したがって、端子収容孔１３の数及び配列態様は、基板側コネクタ１０１のプラグ端子１６１の本数及び配列態様に対応するように設定される。図に示される例においては、プラグ端子１６１が格子状に配列されているので、端子収容孔１３も格子状又はハニカム状に配列され、レセプタクルハウジング１１を細分化する。なお、必ずしもすべての端子収容孔１３内にレセプタクル端子６１が装填される必要はない。
【００３２】
さらに、各レセプタクル端子６１は、各導電線６７の終端に接続されるテール部６２と、基板側コネクタ１０１のプラグ端子１６１と接触する接触部６４とを備える。ここで、前記テール部６２が端子収容孔１３内に位置するので、各導電線６７は、その終端が上方から端子収容孔１３内に進入してテール部６２に接続される。また、前記接触部６４が端子収容孔１３内に位置するので、ケーブル側コネクタ１と基板側コネクタ１０１とが嵌合されると、プラグ端子１６１の接触部１６４は、その上端が下方から端子収容孔１３内に進入して接触部６４と接触する。
【００３３】
前記フード２１は、レセプタクルハウジング１１の上端を収容する略長方形の開口を備える底部２２と、該底部２２の上端に接続され、図４（ａ）に示されるように、正面形状が中心角９０度の扇形のような形状のドーム部２３と、前記底部２２の上端に接続され、図４（ａ）に示されるように、正面形状が斜めに傾斜した長方形のような形状のケーブル引出部２５とを備える。そして、レセプタクルハウジング１１の内部は空洞であり、該空洞は下面に開放する底部２２の開口に連通するとともに、図１及び２に示されるように、斜め上に開放するケーブル引出部２５のケーブル引出口２８に連通する。図示されないケーブルの終端は、斜め上方からケーブル引出口２８を通ってレセプタクルハウジング１１内の空洞に挿入される。そして、ケーブルの終端から露出する導電線６７の終端が、図４（ｃ）に示されるように、レセプタクル端子６１のテール部６２に接続されて端子収容孔１３内に挿入される。
【００３４】
なお、図に示される例において、前記ケーブル引出部２５は、フード２１の他の部分と一体的に形成された一体化部２５ａと、該一体化部２５ａに対して着脱可能に取付けられた別体化部２５ｂとを備える。この場合、該別体化部２５ｂは、ねじ部材であるスクリュー７３によって一体化部２５ａに螺着することにより取付けられる。前記別体化部２５ｂには貫通孔２５ｄが形成され、一体化部２５ａにはねじ孔２５ｃが形成されている。そのため、前記貫通孔２５ｄを通してスクリュー７３をねじ孔２５ｃに螺入することができる。なお、前記スクリュー７３の頭部と別体化部２５ｂとの間には、ワッシャ７４を介在させることが望ましい。
【００３５】
そして、前記フード２１の正面及び背面における外壁部２４には、レバー８１の回転軸としてのレバーロックピン７５が１つずつ取付けられている。該レバーロックピン７５は、合成樹脂等の絶縁性材料又は金属等の剛性の高い材料によって形成されたリベット状の部材であり、その円柱状の胴部７５ａの周囲には、レバー８１が回転可能に取付けられている。なお、外壁部２４においてレバーロックピン７５が取付けられた部位は、底部２２の長手方向（図４（ａ）における横方向）に関するほぼ中心であり、かつ、底部２２とドーム部２３との境界部分である。また、前記ドーム部２３の正面形状である扇形の中心点は、レバーロックピン７５が取付けられた部位と一致せず、該部位から図４（ａ）における右方にずれた位置にある。
【００３６】
ここで、前記レバー８１は、本体部８２と、該本体部８２に対してスライド可能に取付けられたロック部９１とを備える。前記本体部８２は、合成樹脂等の絶縁性材料又は金属等の剛性の高い材料によって一体的に形成された板を折曲げたような形状の部材であり、図４（ｂ）に示されるように、下方又は上方から観て、Ｕ字又はアーチのような形状を備える。そして、該アーチの頂部に対応する部分が接続部８７であり、該接続部８７の両端（図４（ｂ）における上下端）には、レバーロックピン７５の方向に延出する脚部８４が接続されている。なお、前記本体部８２の形状は、ケーブル側コネクタ１の下面の長手方向（図４（ｂ）における横方向）に延在する中心軸に関して線対称である。すなわち、本体部８２は、図４（ｂ）に示されるように、正面から観ても、また、背面から観ても、同一の形状を備える。そして、前記本体部８２は、ドーム部２３の外側に跨（またが）るようにしてフード２１に回転可能に取付けられている。
【００３７】
同様に、前記ロック部９１も、合成樹脂等の絶縁性材料又は金属等の剛性の高い材料によって一体的に形成された板を折曲げたような形状の部材であり、図４（ｂ）に示されるように、下方又は上方から観て、Ｕ字又はアーチのような形状を備える。そして、該アーチの頂部に対応する部分が接続部９７であり、該接続部９７の両端（図４（ｂ）における上下端）には、レバーロックピン７５の方向に延出する脚部９４が接続されている。なお、前記ロック部９１の形状も、ケーブル側コネクタ１の下面の長手方向に延在する中心軸に関して線対称である。すなわち、ロック部９１は、図４（ｂ）に示されるように、正面から観ても、また、背面から観ても、同一の形状を備える。そして、ロック部９１は、本体部８２の外側に重なるようにして、該本体部８２に取付けられている。
【００３８】
前記本体部８２の脚部８４の先端近傍には、後述されるピン挿通孔８４ａが形成され、該ピン挿通孔８４ａにレバーロックピン７５の胴部７５ａが挿入されている。したがって、レバー８１は、レバーロックピン７５を中心にして回転する。また、前記脚部８４におけるピン挿通孔８４ａより下方には、基板側コネクタ１０１のロックピン１８１と係合する係合腕部８３及び係合凹部８３ａが形成されている。図１に示されるように、ケーブル側コネクタ１と基板側コネクタ１０１とが嵌合した状態で、レバー８１を嵌合完了位置にすると、ロックピン１８１が係合凹部８３ａ内に進入して係合される。
【００３９】
なお、前記レバー８１は、図１に示されるように、嵌合完了位置にあるとき、付勢部材としてのレバースプリング７６によって上方に付勢される。該レバースプリング７６は、金属等の弾性を備える材料によって形成された曲線状に曲げられた棒部材であり、一端がレバーロックピン７５の胴部７５ａに回転可能に取付けられ、他端が脚部８４に係合している。
【００４０】
ここで、前記ドーム部２３は、円筒の側面と同様の曲面である背面部２３ａを備える。該背面部２３ａの曲率中心は、ドーム部２３の正面形状である扇形の中心点であって、外壁部２４においてレバーロックピン７５が取付けられた部位から、図４（ａ）における右方にずれた位置にある。そして、背面部２３ａの各部からレバーロックピン７５までの距離は、レバー８１の本体部８２の接続部８７の回転半径、すなわち、前記接続部８７からレバーロックピン７５までの距離よりも短い。したがって、前記本体部８２は、背面部２３ａと干渉することなく回転することができる。なお、該背面部２３ａには、突起状の初期位置係止部３１が形成されているが、前記本体部８２は初期位置係止部３１とも干渉することがない。また、前記背面部２３ａと底部２２との境界部分には、レバーロックピン７５の方向に凹入する溝状のレバー係止凹部としての嵌合完了位置係止部３３が形成されているが、前記本体部８２は嵌合完了位置係止部３３とも干渉することがない。
【００４１】
なお、前記フード２１の背面における外壁部２４のドーム部２３とケーブル引出部２５との境界部分には、後方に突出する初期位置用当接突部３４が形成されている。そして、フード２１の背面側に位置する本体部８２の脚部８４が初期位置用当接突部３４に当接することによってレバー８１の第１位置としての初期位置が規定される。すなわち、レバー８１が回転して、図２及び３に示されるような初期位置に到達すると、フード２１の背面側に位置する本体部８２の脚部８４が初期位置用当接突部３４に当接するので、それ以上、図２における反時計回り方向に回転することができない。なお、フード２１の背面側に位置するロック部９１の脚部９４も、本体部８２の脚部８４とともに、初期位置用当接突部３４に当接する。
【００４２】
また、底部２２は、その長手方向両端において幅方向に延出している、すなわち、フード２１の前方及び後方に突出している。そのため、本体部８２の脚部８４が底部２２に当接することによってレバー８１の第２位置としての嵌合完了位置が規定される。すなわち、レバー８１が回転して、図１及び４に示されるような嵌合完了位置に到達すると、本体部８２の脚部８４が底部２２の上面に当接するので、それ以上、図１及び４における時計回り方向に回転することができない。なお、ロック部９１の脚部９４も、本体部８２の脚部８４とともに、底部２２の上面に当接する。
【００４３】
前記ロック部９１は、接続部９７の上端に接続された操作部９２及び接続部９７の下端に接続された係止部９３を備える。前記操作部９２は、レバー８１の後端に位置し、接続部９７に対してほぼ直角に、かつ、脚部９４と反対の方向、すなわち、レバーロックピン７５から離間する方向に延出する板状の部分であり、レバー８１を回転させるためにオペレータが手指等で操作する部分である。
【００４４】
また、前記係止部９３は、接続部９７に対してほぼ直角に、かつ、脚部９４と同一の方向、すなわち、レバーロックピン７５の方向に延出する板状の部分である。そして、ロック部９１が本体部８２に対して後述されるロック解除位置にあるときは、係止部９３からレバーロックピン７５までの距離が長くなり、レバー８１が回転しても、係止部９３を含むロック部９１は、ドーム部２３の背面部２３ａと干渉することがない。一方、ロック部９１が、図１〜４に示されるように、本体部８２に対してロック位置にあるときは、係止部９３からレバーロックピン７５までの距離が短くなる。したがって、レバー８１が図２及び３に示されるような初期位置にあるときに、ロック部９１を本体部８２に対してスライドさせてロック位置にすると、図３に示されるように、係止部９３が突起状の初期位置係止部３１の上面と干渉して係止される。これにより、レバー８１は、初期位置でフード２１にロックされ、回転不能となる。また、レバー８１が図１及び４に示されるような嵌合完了位置にあるときに、ロック部９１を本体部８２に対してスライドさせてロック位置にすると、係止部９３が溝状の嵌合完了位置係止部３３内に進入して係止される。これにより、レバー８１は、嵌合完了位置でフード２１にロックされ、回転不能となる。
【００４５】
さらに、レバー８１が嵌合完了位置にあるときは、前記レバー８１及び操作部９２が基板側コネクタ１０１との嵌合方向（図１及び２における上下方向）に対して直交する方向に延在する状態となる。そのため、オペレータは、力を発揮しやすく、レバー８１を容易に操作することができる。
【００４６】
そして、前記フード２１は、レセプタクルハウジング１１の上端に取付けられる。この場合、フランジ部１５を含むレセプタクルハウジング１１の上端が、フード２１の底部２２の開口内に下方から挿入されて収容される。そして、ガイドピン７１及びガイドブッシュ７２によって前記フランジ部１５と底部２２とが結合される。具体的には、ガイドピン７１及びガイドブッシュ７２の挿入部７１ｂ及び７２ｂを、フランジ部１５に形成された貫通孔１５ａを通して、底部２２に形成された図示されない挿入孔に挿入することによって、前記フランジ部１５と底部２２とが結合される。これにより、図４に示されるように、レセプタクルハウジング１１の上側がフード２１によって覆われたケーブル側コネクタ１を得ることができる。
【００４７】
前記レセプタクルハウジング１１は、フード２１の下面から下方に突出し、図１に示されるようにケーブル側コネクタ１と基板側コネクタ１０１とが嵌合された状態では、該基板側コネクタ１０１のプラグハウジング１１１の嵌合凹部１１３内に嵌入される。
【００４８】
次に、前記レバー８１のフード２１への取付構造及びロックピン１８１のエンクロージャ１２１への取付構造について詳細に説明する。
【００４９】
図６は本発明の実施の形態におけるケーブル側コネクタのフードの分解図、図７は本発明の実施の形態におけるケーブル側コネクタのフードの斜視図でありレバーが嵌合完了位置にある状態を示す図、図８は本発明の実施の形態におけるケーブル側コネクタのフードの正面図でありレバーが初期位置にある状態を示す図、図９は本発明の実施の形態におけるケーブル側コネクタのフードの背面図でありレバーが初期位置にある状態を示す図、図１０は本発明の実施の形態における基板側コネクタのエンクロージャの分解図、図１１は本発明の実施の形態における基板側コネクタのエンクロージャの斜視図である。
【００５０】
図６〜８においては、説明のためにケーブル引出部２５の別体化部２５ｂが除去された状態が示されている。そして、フード２１の正面及び背面における外壁部２４には、図６に示されるように、レバーロックピン７５を取付けるためのピン取付用貫通孔２４ａが１つずつ外壁部２４を貫通するように形成されている。なお、該外壁部２４においてピン取付用貫通孔２４ａの部位は、底部２２の長手方向（図８における横方向）に関するほぼ中心であり、かつ、底部２２とドーム部２３との境界部分である。また、前記ドーム部２３の正面形状である扇形の中心点は、ピン取付用貫通孔２４ａの部位と一致せず、該部位から図８における右方にずれた位置にある。
【００５１】
また、レバー８１の本体部８２の正面側及び背面側における脚部８４の先端近傍には、図６に示されるように、レバーロックピン７５が挿通されるピン挿通孔８４ａが１つずつ脚部８４を貫通するように形成されている。本実施の形態において、ピン挿通孔８４ａの開口形状は、完全な円形ではなく、縦方向が横方向よりもわずかに長い長円又は楕（だ）円形となっている。これにより、レバー８１は、嵌合完了位置にあるときに、レバーロックピン７５に対して上下方向に変位可能となる。
【００５２】
さらに、レバー８１の本体部８２の正面側及び背面側における脚部８４には、外方、すなわち、フード２１の外壁部２４から離間する方向に膨出する膨出部８８が形成され、かつ、該膨出部８８を貫通するようにスプリング係合孔８８ａが形成されている。
【００５３】
前記レバースプリング７６は、金属等の弾性を備える材料によって形成され、略Ｕ字状に曲げられた棒部材である。そして、レバースプリング７６の上端は、フード２１の外壁部２４に向けてほぼ直角に曲げられ、前記スプリング係合孔８８ａに挿入されて係合される係合軸７６ａが形成されている。一方、レバースプリング７６の下端は、輪を描くように曲げられ、レバーロックピン７５の胴部７５ａが回転可能に挿通されるピン用開口７６ｂが形成されている。
【００５４】
また、レバーロックピン７５は、例えば、セミチューブラリベットのような形状を備える部材であり、傘状の頭部から延出する円柱状の胴部７５ａの先端に、円筒状のかしめ部７５ｂが形成されている。
【００５５】
そして、レバー８１をフード２１へ取付ける際には、レバーロックピン７５の胴部７５ａを、レバースプリング７６のピン用開口７６ｂと脚部８４のピン挿通孔８４ａとに挿入し、さらに、胴部７５ａの先端のかしめ部７５ｂを外壁部２４のピン取付用貫通孔２４ａに挿入させる。なお、レバースプリング７６の係合軸７６ａは、脚部８４のスプリング係合孔８８ａに係合させておく。そして、図７に示されるように、フード２１の外側から外壁部２４のピン取付用貫通孔２４ａに挿入されたかしめ部７５ｂに、フード２１の内側からかしめ加工を施し、前記かしめ部７５ｂを塑性変形させて拡径し、外壁部２４に固定する。これにより、レバー８１が回転可能にフード２１に取付けられる。
【００５６】
なお、図７に示される状態では、レバー８１が嵌合完了位置にあり、かつ、ロック部９１がロック位置にある。したがって、ロック部９１の係止部９３が溝状の嵌合完了位置係止部３３内に進入して係止されているので、レバー８１は、嵌合完了位置でフード２１にロックされ、回転不能となっている。また、レバースプリング７６は、係合軸７６ａとピン用開口７６ｂとの間隔が初期状態より縮められた状態となっている。そのため、レバースプリング７６は、圧縮ばねとして機能し、ピン挿通孔８４ａとレバーロックピン７５との距離を広げるような付勢力を発揮してレバー８１をレバーロックピン７５に対して上方に付勢する。
【００５７】
また、図８及び９に示される状態では、レバー８１が初期位置にあり、かつ、ロック部９１がロック位置にある。したがって、ロック部９１の係止部９３が突起状の初期位置係止部３１に係止されているので、レバー８１は、初期位置でフード２１にロックされ、回転不能となっている。
【００５８】
一方、エンクロージャ１２１の正面及び背面における外壁部１２４には、図１０に示されるように、ロックピン１８１を取付けるためのピン取付用貫通孔１２４ａが１つずつ外壁部１２４を貫通するように形成されている。なお、該外壁部１２４においてピン取付用貫通孔１２４ａの部位は、エンクロージャ１２１の長手方向に関するほぼ中心である。
【００５９】
また、ロックピン１８１は、例えば、セミチューブラリベットのような形状を備える部材であり、傘状の頭部から延出する円柱状の胴部１８１ａの先端に、円筒状のかしめ部１８１ｂが形成されている。
【００６０】
そして、ロックピン１８１をエンクロージャ１２１へ取付ける際には、ロックピン１８１の胴部１８１ａを、スリーブ１８２に挿入し、さらに、胴部１８１ａの先端のかしめ部１８１ｂを外壁部１２４のピン取付用貫通孔１２４ａに挿入させる。さらに、図１１に示されるように、エンクロージャ１２１の外側から外壁部１２４のピン取付用貫通孔１２４ａに挿入されたかしめ部１８１ｂに、エンクロージャ１２１の内側からかしめ加工を施し、前記かしめ部１８１ｂを塑性変形させて拡径し、外壁部１２４に固定する。これにより、ロックピン１８１がエンクロージャ１２１に取付けられる。
【００６１】
次に、前記レバー８１のロック部９１の本体部８２への取付構造について詳細に説明する。
【００６２】
図１２は本発明の実施の形態におけるケーブル側コネクタのレバーの分解図、図１３は本発明の実施の形態におけるケーブル側コネクタのレバーの斜視図でありロック位置にある状態を示す図、図１４は本発明の実施の形態におけるケーブル側コネクタのレバーの斜視図でありロック解除位置にある状態を示す図、図１５は本発明の実施の形態におけるケーブル側コネクタのレバーの断面図でありロック位置にある状態を示す図、図１６は本発明の実施の形態におけるケーブル側コネクタのレバーの断面図でありロック解除位置にある状態を示す図、図１７は本発明の実施の形態におけるケーブル側コネクタのレバーの六面図の一部でありロック位置にある状態を示す第１の図、図１８は本発明の実施の形態におけるケーブル側コネクタのレバーの六面図の一部でありロック位置にある状態を示す第２の図、図１９は本発明の実施の形態におけるケーブル側コネクタのレバーの六面図の一部でありロック解除位置にある状態を示す第１の図、図２０は本発明の実施の形態におけるケーブル側コネクタのレバーの六面図の一部でありロック解除位置にある状態を示す第２の図である。なお、図１５において（ａ）は正面図、（ｂ）は（ａ）のＰ−Ｐ矢視断面図、（ｃ）は（ｂ）のＱ部拡大図、（ｄ）は（ａ）のＲ−Ｒ矢視断面図、（ｅ）は（ｄ）のＳ部拡大図であり、図１６において（ａ）は正面図、（ｂ）は（ａ）のＴ−Ｔ矢視断面図、（ｃ）は（ｂ）のＵ部拡大図、（ｄ）は（ａ）のＶ−Ｖ矢視断面図、（ｅ）は（ｄ）のＷ部拡大図であり、図１７及び１９において（ａ）は正面図、（ｂ）は上面図、（ｃ）は右側面図であり、図１８及び２０において（ａ）は下面図、（ｂ）は左側面図、（ｃ）は背面図である。
【００６３】
レバー８１の本体部８２の正面側及び背面側における脚部８４には、前述のように、ピン挿通孔８４ａ及び膨出部８８が１つずつ形成され、更に、ロック部９１をロック位置及びロック解除位置で係止するための位置決め部としての位置決め腕部８５が１つずつ形成されている。該位置決め腕部８５は、基端が脚部８４に接続された弾性を備えるカンチレバー状の部材であり、自由端が脚部８４の板厚方向に弾性的に変位する。そして、位置決め腕部８５の自由端には、外方、すなわち、フード２１の外壁部２４から離間する方向に膨出するように形成された位置決め用係止部である係止凸部としての位置決め用係止凸部８５ａが形成されている。
【００６４】
さらに、各脚部８４には、本体部８２に対してスライドするロック部９１をガイドするためのスライドガイド部としてのガイド孔８６が２つずつ形成されている。該ガイド孔８６は、ロック部９１のスライド方向、すなわち、ピン挿通孔８４ａと接続部８７とを結ぶ線に沿った方向に延在する長孔であり、脚部８４を貫通して形成され、かつ、２つ並んで配設されている。そして、各ガイド孔８６には、スライドピン７７の胴部７７ａがスライド可能に挿通される。
【００６５】
また、ロック部９１の正面側及び背面側における脚部９４には、ロック部９１をロック位置及びロック解除位置で係止するための位置決め用係止部である係止凹部としての第１位置決め用係止凹部９５ａ及び第２位置決め用係止凹部９５ｂが１つずつ形成されている。なお、第１位置決め用係止凹部９５ａは、第２位置決め用係止凹部９５ｂよりも接続部９７寄りの位置に形成されている。そして、前記本体部８２の位置決め用係止凸部８５ａと第１位置決め用係止凹部９５ａとが係合することによって、ロック部９１は、本体部８２に対してロック位置で係止される。また、前記本体部８２の位置決め用係止凸部８５ａと第２位置決め用係止凹部９５ｂとが係合することによって、ロック部９１は、本体部８２に対してロック解除位置で係止される。この場合、位置決め用係止凸部８５ａが弾性的に変位して第１位置決め用係止凹部９５ａ及び第２位置決め用係止凹部９５ｂと係合及び係合解除するので、ロック部９１を手指等によって操作するオペレータは、手指等にクリック感を得ることができる。
【００６６】
さらに、各脚部９４には、スライド部としてスライドピン７７が挿入されて固定されるピン取付孔９４ａが２つずつ形成されている。また、スライドピン７７は、例えば、セミチューブラリベット又はチューブラリベットのような形状を備える部材であり、傘状の頭部から延出する円柱状の胴部７７ａの先端に、円筒状のかしめ部７７ｂが形成されている。前記胴部７７ａは、その直径がガイド孔８６の幅よりも小さな寸法であり、ガイド孔８６に挿通された状態で、該ガイド孔８６に沿ってスライド可能である。
【００６７】
そして、レバー８１の本体部８２にロック部９１を取付ける際には、スライドピン７７の胴部７７ａを、本体部８２の脚部８４の内側から該脚部８４のガイド孔８６に挿入し、さらに、胴部７７ａの先端のかしめ部７７ｂをロック部９１の脚部９４の内側から該脚部９４のピン取付孔９４ａに挿入させる。なお、本体部８２の脚部８４の位置決め用係止凸部８５ａを、ロック部９１の脚部９４の第１位置決め用係止凹部９５ａ又は第２位置決め用係止凹部９５ｂに係合させておく。そして、図１５（ａ）及び１６（ａ）に示されるように、脚部９４のピン取付孔９４ａに挿入されたかしめ部７７ｂにかしめ加工を施し、前記かしめ部７７ｂを塑性変形させて拡径し、脚部９４に固定する。これにより、本体部８２にロック部９１がスライド可能にフード２１に取付けられる。
【００６８】
なお、図１３及び１５に示される状態では、レバー８１の本体部８２に対して、ロック部９１がロック位置にある。この場合、本体部８２の位置決め用係止凸部８５ａが接続部９７寄りの第１位置決め用係止凹部９５ａと係合することによって、ロック部９１は、本体部８２に対してロック位置で係止される。ロック位置では、ロック部９１が本体部８２のピン挿通孔８４ａ寄りに位置し、係止部９３が本体部８２の接続部８７よりも内方、すなわち、ピン挿通孔８４ａの方向に突出した状態となる。また、該ピン挿通孔８４ａ寄りのスライドピン７７は、ガイド孔８６におけるピン挿通孔８４ａ側の端部に当接する。
【００６９】
一方、図１４及び１６に示される状態では、レバー８１の本体部８２に対して、ロック部９１がロック解除位置にある。この場合、本体部８２の位置決め用係止凸部８５ａが接続部９７と反対方向寄りの第２位置決め用係止凹部９５ｂと係合することによって、ロック部９１は、本体部８２に対してロック解除位置で係止される。ロック解除位置では、ロック部９１が本体部８２のピン挿通孔８４ａと反対方向寄りに位置し、係止部９３が本体部８２の接続部８７よりもピン挿通孔８４ａの方向に突出していない状態となる。また、該ピン挿通孔８４ａと反対方向寄りのスライドピン７７は、ガイド孔８６におけるピン挿通孔８４ａ側の端部に当接する。
【００７０】
次に、前記構成のケーブル側コネクタ１と基板側コネクタ１０１とを嵌合させる動作について説明する。
【００７１】
図２１は本発明の実施の形態におけるケーブル側コネクタと相手側コネクタとを嵌合させる動作を示す第１の図、図２２は本発明の実施の形態におけるケーブル側コネクタと相手側コネクタとを嵌合させる動作を示す第２の図、図２３は本発明の実施の形態におけるケーブル側コネクタと相手側コネクタとを嵌合させる動作を示す第３の図、図２４は本発明の実施の形態におけるケーブル側コネクタと相手側コネクタとを嵌合させる動作を示す第４の図、図２５は本発明の実施の形態におけるケーブル側コネクタと相手側コネクタとを嵌合させる動作を示す第５の図、図２６は本発明の実施の形態におけるケーブル側コネクタと相手側コネクタとの嵌合が完了した状態を示す部分断面図、図２７は本発明の実施の形態におけるケーブル側コネクタと相手側コネクタとの嵌合が完了した状態の要部を示す図であり図２６の要部拡大図である。
【００７２】
ケーブル側コネクタ１と基板側コネクタ１０１とを嵌合させる場合、オペレータは、手指等によって、ケーブル側コネクタ１を保持し、図２１に示されるように、ケーブル側コネクタ１の嵌合面（図２１における下面）が基板側コネクタ１０１の嵌合面（図２１における上面）に対向するような姿勢とする。なお、あらかじめ、レバー８１を初期位置とし、かつ、ロック部９１をロック位置としておく。これにより、フード２１の背面側に位置する本体部８２の脚部８４及びロック部９１の脚部９４が初期位置用当接突部３４に当接するので、レバー８１は、図２１における反時計回り方向に回転することがない。また、ロック部９１の係止部９３が初期位置係止部３１に係止されるので、レバー８１は、図２１における時計回り方向に回転することがない。つまり、レバー８１を初期位置とし、かつ、ロック部９１をロック位置としておくことによって、レバー８１は両方向に回転不能となって停止しているので、ケーブル側コネクタ１の取扱いが容易になる。
【００７３】
続いて、オペレータは、ケーブル側コネクタ１を基板側コネクタ１０１に対して相対的に接近させ、ケーブル側コネクタ１のレセプタクルハウジング１１を基板側コネクタ１０１のプラグハウジング１１１の嵌合凹部１１３内に挿入させる。それとともに、ケーブル側コネクタ１が備えるガイドピン７１のガイド部７１ａを基板側コネクタ１０１が備えるガイドブッシュ７２のガイド孔７２ａ内に挿入し、ケーブル側コネクタ１が備えるガイドブッシュ７２のガイド孔７２ａ内に基板側コネクタ１０１が備えるガイドピン７１のガイド部７１ａを挿入させる。
【００７４】
ここで、ガイドピン７１及びガイドブッシュ７２は、図３に示されるように、非対称に配設されている。図３に示される例において、ケーブル側コネクタ１では、ガイドピン７１は２本とも背面側に配設され、ガイドブッシュ７２は２本とも正面側に配設されているとともに、基板側コネクタ１０１では、ガイドピン７１は２本とも正面側に配設され、ガイドブッシュ７２は２本とも背面側に配設されている。このように、ガイドピン７１及びガイドブッシュ７２が非対称に配設されているので、ケーブル側コネクタ１は所定の向きでないと基板側コネクタ１０１に嵌合することができない。すなわち、図２１に示される例において、ケーブル側コネクタ１をケーブル引出部２５が右側に位置するような向きとした場合には、ケーブル側コネクタ１が備えるガイドピン７１と基板側コネクタ１０１が備えるガイドピン７１とが対向することとなるので、ケーブル側コネクタ１を基板側コネクタ１０１に嵌合することができない。つまり、ガイドピン７１及びガイドブッシュ７２を非対称に配設することによって、ケーブル側コネクタ１と基板側コネクタ１０１との嵌合方向に極性が与えられている。したがって、ケーブル側コネクタ１と基板側コネクタ１０１とを嵌合すると、ケーブル側コネクタ１の各レセプタクル端子６１と基板側コネクタ１０１の各プラグ端子１６１との対応関係は、確実に維持される。
【００７５】
そして、ケーブル側コネクタ１のレセプタクルハウジング１１が基板側コネクタ１０１のプラグハウジング１１１の嵌合凹部１１３内に完全に挿入され、各ガイドピン７１のガイド部７１ａが対応するガイドブッシュ７２のガイド孔７２ａ内に完全に挿入されると、図２２に示されるような状態となる。この状態において、基板側コネクタ１０１の各プラグ端子１６１は、ケーブル側コネクタ１のレセプタクルハウジング１１における対応する端子収容孔１３内に進入し、対応するレセプタクル端子６１と接触して導通している。
【００７６】
続いて、オペレータは、手指等によってレバー８１のロック部９１を本体部８２に対してスライドさせ、図２２に示されるようなロック位置から、図２３に示されるようなロック解除位置にまで変位させる。これにより、レバーロックピン７５から係止部９３までの距離が長くなり、係止部９３と初期位置係止部３１との係合が解除されるので、レバー８１を図２１における時計回り方向に回転することが可能となる。
【００７７】
この際、図１５（ｅ）に示されるような本体部８２の位置決め用係止凸部８５ａと第１位置決め用係止凹部９５ａとの係合が解除され、図１６（ｅ）に示されるように、位置決め用係止凸部８５ａと第２位置決め用係止凹部９５ｂとが係合するので、オペレータは、手指等にクリック感を得ることができる。したがって、オペレータは、ロック部９１の本体部８２に対する位置を目視によって確認しなくても、ロック部９１が本体部８２に対してロック解除位置で係止されたことを認識することができる。そのため、オペレータは、レバー８１が回転可能な状態となったか否かについてためらうことなく、安心して、レバー８１を図２３における時計回り方向に回転させることができる。
【００７８】
そして、レバー８１を図２３における時計回り方向に回転させると、基板側コネクタ１０１のエンクロージャ１２１に取付けられたロックピン１８１は、レバー８１に対して相対的に変位し、レバー８１の係合凹部８３ａ内に進入して係合される。また、レバー８１は、図２４に示されるような嵌合完了位置に到達すると、本体部８２の脚部８４及びロック部９１の脚部９４がフード２１の底部２２に当接することによって回転不能となり、停止する。なお、嵌合完了位置に到達するまでは、ロック部９１がロック解除位置にあるので、係止部９３がフード２１の背面部２３ａのいずれの部分とも干渉せず、レバー８１をスムーズに回転させることができる。また、レバー８１が嵌合完了位置に到達すると、ロックピン１８１は、係合凹部８３ａの最奥部に到達する。したがって、ロックピン１８１と係合凹部８３ａとの係合状態が確実で解除不能なものとなるので、ケーブル側コネクタ１と基板側コネクタ１０１との嵌合状態も解除不能なものとなる。
【００７９】
続いて、オペレータは、手指等によってレバー８１のロック部９１を本体部８２に対してスライドさせ、図２４に示されるようなロック解除位置から、図２５に示されるようなロック位置にまで変位させる。これにより、レバーロックピン７５から係止部９３までの距離が短くなり、図２６及び２７に詳細に示されるように、係止部９３がフード２１の背面部２３ａと底部２２との境界部分に形成された溝状の嵌合完了位置係止部３３内に進入して係止される。そのため、レバー８１は、嵌合完了位置でフード２１にロックされ、回転不能となる。
【００８０】
この際、図１６（ｅ）に示されるような本体部８２の位置決め用係止凸部８５ａと第２位置決め用係止凹部９５ｂとの係合が解除され、図１５（ｅ）に示されるように、位置決め用係止凸部８５ａと第１位置決め用係止凹部９５ａとが係合するので、オペレータは、手指等にクリック感を得ることができる。したがって、オペレータは、ロック部９１の本体部８２に対する位置を目視によって確認しなくても、ロック部９１が本体部８２に対してロック位置で係止されたことを認識することができる。
【００８１】
また、レバー８１が、初期位置を除き、嵌合完了位置以外の位置にあるときには、係止部９３がフード２１の背面部２３ａと干渉するので、ロック部９１をロック位置にまで変位させることができない。そのため、オペレータは、位置決め用係止凸部８５ａと第１位置決め用係止凹部９５ａとが係合した際のクリック感に基づいてロック部９１が本体部８２に対してロック位置で係止されたことを認識することによって、レバー８１が嵌合完了位置でロックされたことを把握することができる。したがって、オペレータは、ケーブル側コネクタ１と基板側コネクタ１０１との嵌合が、不完全でなく、完全に行われたことを認識することができる。
【００８２】
そして、位置決め用係止凸部８５ａと第１位置決め用係止凹部９５ａとが係合してロック部９１が本体部８２に対してロック位置で係止されるので、ケーブル側コネクタ１又は基板側コネクタ１０１に衝撃、振動等の外力が伝達されても、ロック部９１がロック位置から変位することがなく、そのため、係止部９３が嵌合完了位置係止部３３に係止された状態が維持されるので、レバー８１が嵌合完了位置でフード２１にロックされて回転不能な状態が維持される。したがって、不必要にレバー８１のロックが解除されることがなく、ケーブル側コネクタ１と基板側コネクタ１０１との嵌合状態が確実に維持される。
【００８３】
なお、図２４〜２７に示されるように、レバー８１が嵌合完了位置にあるときには、前述のように、レバースプリング７６がピン挿通孔８４ａとレバーロックピン７５との距離を広げるような付勢力を発揮し、かつ、脚部８４のピン挿通孔８４ａの開口形状が縦方向に長い長円又は楕円形となっているので、レバー８１は、レバーロックピン７５に対して上方に付勢される。したがって、係合腕部８３によってロックピン１８１が上方に付勢されるので、ケーブル側コネクタ１と基板側コネクタ１０１との嵌合状態がより確実なものとなる。
【００８４】
また、ケーブル側コネクタ１と基板側コネクタ１０１との嵌合を解除させる場合には、前述のケーブル側コネクタ１と基板側コネクタ１０１とを嵌合させる動作と逆の動作を行うことによって、ケーブル側コネクタ１と基板側コネクタ１０１との嵌合を解除してケーブル側コネクタ１を基板側コネクタ１０１から離脱させることができる。なお、基板側コネクタ１０１から離脱したケーブル側コネクタ１においては、レバー８１が初期位置にあって、かつ、ロック部９１がロック位置にあるので、レバー８１は両方向に回転不能となっている。そのため、ケーブル側コネクタ１の取扱いが容易になる。
【００８５】
このように、本実施の形態において、ケーブル側コネクタ１は、レセプタクル端子６１を収容するレセプタクルハウジング１１及びフード２１と、該フード２１に回転可能に取付けられ、基板側コネクタ１０１との嵌合の初期における初期位置と、基板側コネクタ１０１との嵌合が完了した嵌合完了位置との間を回転するレバー８１と、該レバー８１を第２位置においてロックするロック部９１とを有し、該ロック部９１は、レバー８１の本体部８２にスライド可能に取付けられ、レバー８１をロックするロック位置とロックを解除するロック解除位置との間をスライドし、レバー８１は、ロック部９１をロック位置及びロック解除位置で係止するための位置決め用係止凸部８５ａ、第１位置決め用係止凹部９５ａ及び第２位置決め用係止凹部９５ｂを備え、位置決め用係止凸部８５ａは弾性的に変位して第１位置決め用係止凹部９５ａ及び第２位置決め用係止凹部９５ｂと係合及び係合解除する。
【００８６】
これにより、レバー８１が嵌合完了位置においてロックされることによって回動不能となるとともに、ロック部９１がロック位置からスライドしないので不必要にロックが解除されることがない。したがって、衝撃、振動等の外力を受けても基板側コネクタ１０１との嵌合が解除されることがない。また、オペレータがロック部９１をロック位置及びロック解除位置からスライドさせる際にクリック感を感じることができるので、ロック部９１の誤操作を防止することができ、操作性を高くして、確実性を高くすることができる。
【００８７】
また、レバー８１は、嵌合完了位置において基板側コネクタ１０１との嵌合方向に対して直交する方向に延在する。これにより、オペレータは、レバー８１を操作する手指等に力を込めやすくなるので、レバー８１を容易に操作することができる。また、該レバー８１を操作することによってケーブル側コネクタ１を基板側コネクタ１０１に対してより強く嵌合させることができる。
【００８８】
さらに、位置決め用係止凸部８５ａは基端が本体部８２に接続された弾性を備えるカンチレバー状の位置決め腕部８５の自由端に形成され、第１位置決め用係止凹部９５ａ及び第２位置決め用係止凹部９５ｂはロック部９１に形成され、第１位置決め用係止凹部９５ａは位置決め用係止凸部８５ａと係合してロック部９１をロック位置で係止し、第２位置決め用係止凹部９５ｂは位置決め用係止凸部８５ａと係合してロック部９１をロック解除位置で係止する。これにより、位置決め用係止凸部８５ａが弾性的に変位して第１位置決め用係止凹部９５ａ及び第２位置決め用係止凹部９５ｂと係合及び係合解除するので、ロック部９１を手指等によって操作するオペレータは、手指等にクリック感を得ることができる。
【００８９】
さらに、ロック部９１は、レバー８１の後端に位置し、ロックピン１８１から離間する方向に延出する操作部９２を備え、該操作部９２からロックピン１８１までの距離は、ロック部９１がロック解除位置にあるときはロック位置にあるときよりも長くなる。これにより、ロック部９１をロック解除位置にしてレバー８１を回転させる際に、オペレータが手指等によって操作する操作部９２の回転半径が長くなるので、小さな力を操作部９２に加えても大きな回転トルクを発揮させることができ、レバー８１の操作を容易に行うことができる。また、レバー８１を回転させないときには、操作部９２の突出量が小さくなるので、ケーブル側コネクタ１全体の外形寸法を小さくすることができる。
【００９０】
さらに、ロック部９１は、レバー８１の後端に位置し、ロックピン１８１に接近する方向に延出する係止部９３を備え、該係止部９３からロックピン１８１までの距離は、ロック部９１がロック位置にあるときはロック解除位置にあるときよりも短くなり、レバー８１が第２位置においてロック部９１がロック位置になると、係止部９３は、嵌合完了位置係止部３３内に進入して係止される。これにより、ロック部９１をロック解除位置にしてレバー８１を回転させる際に、係止部９３がレセプタクルハウジング１１及びフード２１と干渉するこがない。また、ロック部９１をスライドさせるだけで、レバー８１を確実に嵌合完了位置でロックさせることができる。
【００９１】
なお、本発明は前記実施の形態に限定されるものではなく、本発明の趣旨に基づいて種々変形させることが可能であり、それらを本発明の範囲から排除するものではない。
【図面の簡単な説明】
【００９２】
【図１】本発明の実施の形態におけるケーブル側コネクタの斜視図であり基板側コネクタと嵌合した状態を示す図である。
【図２】本発明の実施の形態におけるケーブル側コネクタの斜視図であり基板側コネクタと嵌合する前の状態を示す図である。
【図３】本発明の実施の形態におけるケーブル側コネクタ及び基板側コネクタの分解図である。
【図４】本発明の実施の形態におけるケーブル側コネクタの三面図であって、（ａ）は正面図、（ｂ）は下面図、（ｃ）は（ａ）のＸ−Ｘ矢視断面図である。
【図５】本発明の実施の形態における基板側コネクタの三面図であって、（ａ）は下面図、（ｂ）は正面図、（ｃ）は（ｂ）のＹ−Ｙ矢視断面図である。
【図６】本発明の実施の形態におけるケーブル側コネクタのフードの分解図である。
【図７】本発明の実施の形態におけるケーブル側コネクタのフードの斜視図でありレバーが嵌合完了位置にある状態を示す図である。
【図８】本発明の実施の形態におけるケーブル側コネクタのフードの正面図でありレバーが初期位置にある状態を示す図である。
【図９】本発明の実施の形態におけるケーブル側コネクタのフードの背面図でありレバーが初期位置にある状態を示す図である。
【図１０】本発明の実施の形態における基板側コネクタのエンクロージャの分解図である。
【図１１】本発明の実施の形態における基板側コネクタのエンクロージャの斜視図である。
【図１２】本発明の実施の形態におけるケーブル側コネクタのレバーの分解図である。
【図１３】本発明の実施の形態におけるケーブル側コネクタのレバーの斜視図でありロック位置にある状態を示す図である。
【図１４】本発明の実施の形態におけるケーブル側コネクタのレバーの斜視図でありロック解除位置にある状態を示す図である。
【図１５】本発明の実施の形態におけるケーブル側コネクタのレバーの断面図でありロック位置にある状態を示す図であって、（ａ）は正面図、（ｂ）は（ａ）のＰ−Ｐ矢視断面図、（ｃ）は（ｂ）のＱ部拡大図、（ｄ）は（ａ）のＲ−Ｒ矢視断面図、（ｅ）は（ｄ）のＳ部拡大図である。
【図１６】本発明の実施の形態におけるケーブル側コネクタのレバーの断面図でありロック解除位置にある状態を示す図であって、（ａ）は正面図、（ｂ）は（ａ）のＴ−Ｔ矢視断面図、（ｃ）は（ｂ）のＵ部拡大図、（ｄ）は（ａ）のＶ−Ｖ矢視断面図、（ｅ）は（ｄ）のＷ部拡大図である。
【図１７】本発明の実施の形態におけるケーブル側コネクタのレバーの六面図の一部でありロック位置にある状態を示す第１の図であって、（ａ）は正面図、（ｂ）は上面図、（ｃ）は右側面図である。
【図１８】本発明の実施の形態におけるケーブル側コネクタのレバーの六面図の一部でありロック位置にある状態を示す第２の図であって、（ａ）は下面図、（ｂ）は左側面図、（ｃ）は背面図である。
【図１９】本発明の実施の形態におけるケーブル側コネクタのレバーの六面図の一部でありロック解除位置にある状態を示す第１の図であって、（ａ）は正面図、（ｂ）は上面図、（ｃ）は右側面図である。
【図２０】本発明の実施の形態におけるケーブル側コネクタのレバーの六面図の一部でありロック解除位置にある状態を示す第２の図であって、（ａ）は下面図、（ｂ）は左側面図、（ｃ）は背面図である。
【図２１】本発明の実施の形態におけるケーブル側コネクタと相手側コネクタとを嵌合させる動作を示す第１の図である。
【図２２】本発明の実施の形態におけるケーブル側コネクタと相手側コネクタとを嵌合させる動作を示す第２の図である。
【図２３】本発明の実施の形態におけるケーブル側コネクタと相手側コネクタとを嵌合させる動作を示す第３の図である。
【図２４】本発明の実施の形態におけるケーブル側コネクタと相手側コネクタとを嵌合させる動作を示す第４の図である。
【図２５】本発明の実施の形態におけるケーブル側コネクタと相手側コネクタとを嵌合させる動作を示す第５の図である。
【図２６】本発明の実施の形態におけるケーブル側コネクタと相手側コネクタとの嵌合が完了した状態を示す部分断面図である。
【図２７】本発明の実施の形態におけるケーブル側コネクタと相手側コネクタとの嵌合が完了した状態の要部を示す図であり図２６の要部拡大図である。
【図２８】従来のコネクタ及び相手方コネクタを示す斜視図である。
【符号の説明】
【００９３】
１    ケーブル側コネクタ
１１    レセプタクルハウジング
１３    端子収容孔
１４、１１４    側壁部
１５、１１５、１２２    フランジ部
１５ａ、２５ｄ、１１５ａ、１２２ａ    貫通孔
２１    フード
２２    底部
２３    ドーム部
２３ａ    背面部
２４、１２４    外壁部
２４ａ、１２４ａ    ピン取付用貫通孔
２５    ケーブル引出部
２５ａ    一体化部
２５ｂ    別体化部
２５ｃ、１４３    ねじ孔
２８    ケーブル引出口
３１    初期位置係止部
３３    嵌合完了位置係止部
３４、８３４ｂ    初期位置用当接突部
６１    レセプタクル端子
６２、１６２    テール部
６４、１６４    接触部
６７    導電線
７１    ガイドピン
７１ａ    ガイド部
７１ｂ、７２ｂ    挿入部
７２    ガイドブッシュ
７２ａ、８６    ガイド孔
７３、１７３    スクリュー
７４、１７４    ワッシャ
７５    レバーロックピン
７５ａ、７７ａ、１８１ａ    胴部
７５ｂ、７７ｂ、１８１ｂ    かしめ部
７６    レバースプリング
７６ａ    係合軸
７６ｂ    ピン用開口
７７    スライドピン
８１    レバー
８２、１６３    本体部
８３    係合腕部
８３ａ    係合凹部
８４、９４    脚部
８４ａ    ピン挿通孔
８５    位置決め腕部
８５ａ    位置決め用係止凸部
８７、９７    接続部
８８    膨出部
８８ａ    スプリング係合孔
９１    ロック部
９２    操作部
９３    係止部
９４ａ    ピン取付孔
９５ａ    第１位置決め用係止凹部
９５ｂ    第２位置決め用係止凹部
１０１    基板側コネクタ
１１１    プラグハウジング
１１２    底板部
１１３    嵌合凹部
１２１    エンクロージャ
１２３    ハウジング収容孔
１２５    フランジ支持部
１２５ａ    挿入孔
１４１    パネル部材
１４２    コネクタ受容孔
１６１    プラグ端子
１８１    ロックピン
１８２    スリーブ
１９１    基板
１９２    スルーホール
８０１    ソケット側コネクタ
８１１    ソケットボディ
８１５    摺動溝
８２１    ソケット側ケーシング
８２４    側壁
８２８ａ、８２８ｂ    開口部
８３４ａ    嵌合完了位置用当接突部
８６１    ソケットコンタクト
８８１    係合レバー
８８３    係合溝
９０１    プラグ側コネクタ
９１１    枠体
９１２    プラグボディ
９１８    係合突起
９６１    プラグコンタクト
【図１】
2009259442.tif 000003
【図２】
2009259442.tif 000004
【図３】
2009259442.tif 000005
【図４】
2009259442.tif 000006
【図５】
2009259442.tif 000007
【図６】
2009259442.tif 000008
【図７】
2009259442.tif 000009
【図８】
2009259442.tif 000010
【図９】
2009259442.tif 000011
【図１０】
2009259442.tif 000012
【図１１】
2009259442.tif 000013
【図１２】
2009259442.tif 000014
【図１３】
2009259442.tif 000015
【図１４】
2009259442.tif 000016
【図１５】
2009259442.tif 000017
【図１６】
2009259442.tif 000018
【図１７】
2009259442.tif 000019
【図１８】
2009259442.tif 000020
【図１９】
2009259442.tif 000021
【図２０】
2009259442.tif 000022
【図２１】
2009259442.tif 000023
【図２２】
2009259442.tif 000024
【図２３】
2009259442.tif 000025
【図２４】
2009259442.tif 000026
【図２５】
2009259442.tif 000027
【図２６】
2009259442.tif 000028
【図２７】
2009259442.tif 000029
【図２８】
2009259442.tif 000030